(57)【要約】      （修正有）【課題】かご呼びサービス切離しモードの解除からの乗かごの運転状況を把握することのできるエレベータの防犯システムの提供。【解決手段】エレベータの乗かご１に、暗号操作に応じてかご呼びサービス切離し階床へのサービスを可能とする暗号操作手段、例えば開釦２、閉釦３および行き先階登録釦４を備えるとともに、かご呼びサービス切離し階床に設けられる居室９に、かご呼びサービス切離しモードの解除を行う解除手段、例えば解除釦１０を備えたエレベータの防犯システムにおいて、居室９に、解除釦１０の操作に応じて乗かご１のサービス状況を報知する報知手段、例えば解除ランプおよびスピーカ１１を備え、居室者がかご呼びサービス切離しモードの解除からの乗かご１の運転状況を把握できるようにする。【選択図】図１
2006256765.tif 000002
【特許請求の範囲】
【請求項１】
エレベータの乗かごに、暗号操作に応じてかご呼びサービス切離し階床へのサービスを可能とする暗号操作手段を備えるとともに、前記かご呼びサービス切離し階床に設けられる居室に、かご呼びサービス切離しモードの解除を行う解除手段を備えたエレベータの防犯システムにおいて、
前記居室に、前記解除手段の操作に応じて前記乗かごのサービス状況を報知する報知手段を備えたことを特徴とするエレベータの防犯システム。
【請求項２】
前記報知手段は、解除ランプから成ることを特徴とする請求項１記載のエレベータの防犯システム。
【請求項３】
前記報知手段は、音声案内装置から成ることを特徴とする請求項１記載のエレベータの防犯システム。
【請求項４】
前記解除ランプは、前記解除手段の操作に応じて連続点灯するとともに、前記乗かごの該かご呼びサービス切離し階床への到着時に点滅点灯し、かつサービス完了に応じて消灯することを特徴とする請求項２記載のエレベータの防犯システム。
【請求項５】
前記音声案内装置は、少なくとも前記かご呼びサービス切離しモードの解除、および前記乗かごの該かご呼びサービス切離し階床への到着を報知することを特徴とする請求項３記載のエレベータの防犯システム。
【発明の詳細な説明】
【技術分野】
【０００１】
本発明は、エレベータの防犯システムに係り、特に、かご呼びサービス切離しモードの設定により特定階床への乗かごの停止を任意に制限可能なエレベータの防犯システムに関する。
【背景技術】
【０００２】
この種の従来技術として、特定階床への乗かごの停止を任意に制限するかご呼びサービス切離しモードを設定するかご呼びサービス切離し手段と、かご呼びサービス切離しモードを解除する解除手段とを備えたエレベータにあっては、かご呼びサービス切離し手段によりかご呼びサービス切離しモードが設定されると、乗かごに乗り込んだ乗客が特定階床に対応する行き先階登録釦を操作しても、特定階床は行き先階として登録されず、乗かごが特定階床にサービスすることが制限される。また、このようなかご呼びサービス切離しモードは、例えば、乗かごに備えられた暗号操作手段を操作することや、かご呼びサービス切離し階床に設けられる居室に備えられた解除手段を操作することにより、一時的に解除することが可能である。
【発明の開示】
【発明が解決しようとする課題】
【０００３】
しかしながら、前述したものではかご呼びサービス切離し階床に設けられた居室にあって、例えばかご呼びサービス切離しモードを解除して訪問者を向える場合、かご呼びサービス切離しモードの解除からの乗かごの運転状況を把握する手段がないことから、居室玄関の施錠解除のタイミングを図ることができず防犯上好ましいものではなかった。
【０００４】
本発明は、前述した従来技術における実状からなされたもので、その目的は、かご呼びサービス切離しモードの解除からの乗かごの運転状況を把握することのできるエレベータの防犯システムを提供することにある。
【課題を解決するための手段】
【０００５】
前記目的を達成するために、本発明は、エレベータの乗かごに、暗号操作に応じてかご呼びサービス切離し階床へのサービスを可能とする暗号操作手段を備えるとともに、前記かご呼びサービス切離し階床に設けられる居室に、かご呼びサービス切離しモードの解除を行う解除手段を備えたエレベータの防犯システムにおいて、前記居室に、前記解除手段の操作に応じて前記乗かごのサービス状況を報知する報知手段を備えたことを特徴としている。
【０００６】
このように構成した本発明は、かご呼びサービス切離し階床に設けられる居室の居室者が解除手段によりかご呼びサービス切離しモードの解除を行うと、居室に備えられた報知手段により乗かごのサービス状況が報知され、居室者はかご呼びサービス切離しモードの解除からの乗かごの運転状況を把握することができる。
【発明の効果】
【０００７】
本発明は、居室者はかご呼びサービス切離しモードの解除からの乗かごの運転状況を把握することができることから、かご呼びサービス切離しモードを解除して訪問者を向える際、居室玄関の施錠解除のタイミングを図ることができ、防犯性の向上を図ることができる。
【発明を実施するための最良の形態】
【０００８】
以下、本発明に係るエレベータの防犯システムの実施の形態を図に基づいて説明する。
【０００９】
図１は本発明のエレベータの防犯システムの一実施形態の要部構成を示す概略説明図、図２は本発明のエレベータの防犯システムの処理手順を示すフローチャートである。
【００１０】
エレベータは図１に示すように、乗かご１内に設けられ、ドアの開指令を出力する開釦２、ドアの閉指令を出力する閉釦３、および行き先階を登録する行き先階登録釦４を有する操作盤５と、機械室６に設けられエレベータの運転を制御する中央演算処理部７を有して成る制御盤８とを備えている。そして、暗号操作に応じてかご呼びサービス切離し階床へのサービスを可能とする暗号操作手段は、前述した開釦２、閉釦３および行き先階登録釦４から成っている。
【００１１】
また、このエレベータが設置される建屋のかご呼びサービス切離し階床に設けられる居室９には、かご呼びサービス切離しモードの解除を行う解除手段、例えば解除釦１０が備えられているとともに、この解除釦１０の操作に応じて乗かご１のサービス状況を報知する報知手段として、解除釦１０に設けられる解除ランプ１０ａおよび音声案内を出力するスピーカ１１が設けられている。なお、スピーカ１１から出力される音声案内は前述した制御盤８に具備される音声案内回路８ａから送信されるものであり、この音声案内回路８ａおよびスピーカ１１により前述した音声案内装置が構成されている。
【００１２】
本実施形態のエレベータの防犯システムは図２に示すように、手順Ｓ１に示すように解除釦１０を操作したことが判断されると、かご呼びサービス切離しモードが解除される。このかご呼びサービス切離しモードの解除により手順Ｓ２として解除ランプ１０ａは連続点灯するとともに、音声案内回路８ａはスピーカ１１を介してかご呼びサービス切離しモードが解除された旨を音声により案内する。乗かご１に乗り込んだ来客が行き先階登録釦４を操作すると、手順Ｓ３として通常はかご呼びサービス切離し階床に設定され登録することのできない所定の階床を行き先階として登録すると、乗かご１は移動を開始する。次いで、乗かご１が登録階床に到着すると手順Ｓ４として解除ランプ１０ａは点滅点灯するとともに、音声案内回路８ａはスピーカ１１を介して乗かご１が登録階床に到着した旨を音声により案内する。この後、乗かご１から訪問者が降りドアを閉じてサービスを終了すると手順Ｓ５として解除ランプ１０ａは消灯する。そして、居室９の居室者は解除ランプ１０ａの点滅およびその変化、またスピーカ１１を介して報知されるサービス状況に応じて居室玄関の施錠解除のタイミングを図る。
【００１３】
一方、乗かご１に乗り込んだ利用者が手順Ｓ６として開釦２、閉釦３および行き先階登録釦４を暗号操作してかご呼びサービス切離しモードを解除したことが判断されると、手順Ｓ２に示すように解除ランプ１０ａは連続点灯するとともに、音声案内回路８ａはスピーカ１１を介してかご呼びサービス切離しモードが解除された旨を音声により案内する。利用者が手順Ｓ３として行き先階登録釦４を操作し所定の階床を行き先階として登録すると、乗かご１は移動を開始する。次いで、乗かご１が登録階床に到着すると手順Ｓ４として解除ランプ１０ａは点滅点灯するとともに、音声案内回路８ａはスピーカ１１を介して乗かご１が登録階床に到着した旨を音声により案内する。この後、乗かご１から利用者が降りドアを閉じてサービスを終了すると手順Ｓ５として解除ランプ１０ａは消灯する。
【００１４】
このように構成した本実施形態では、居室者はかご呼びサービス切離しモードの解除からの乗かご１の運転状況を把握することができることから、かご呼びサービス切離しモードを解除して訪問者を向える際、居室玄関の施錠解除のタイミングを図ることができ、防犯性の向上を図ることができる。また、乗かご１に乗り込んだ利用者が暗号操作によりかご呼びサービス切離しモードを解除すると、この解除が解除ランプ１０ａおよびスピーカ１１を介して居室９に報知されることから、居室者は暗号操作を知る利用者が在ることを事前に把握することができる。
【図面の簡単な説明】
【００１５】
【図１】本発明のエレベータの防犯システムの一実施形態の要部構成を示す概略説明図である。
【図２】本発明のエレベータの防犯システムの処理手順を示すフローチャートである。
【符号の説明】
【００１６】
１      乗かご
２      開釦
３      閉釦
４      行き先階登録釦
５      操作盤
８      制御盤
８ａ    音声案内回路
９      居室
１０    解除釦
１０ａ  解除ランプ
１１    スピーカ
【図１】
2006256765.tif 000003
【図２】
2006256765.tif 000004